(57)【要約】【課題】ヘラの取り扱いに慣れない者であっても、お好み焼きを容易に裏返すことができるお好み焼き調理用ヘラを提供する。【解決手段】お好み焼き調理用ヘラは、お好み焼きをすくいあげるヘラ本体１と、ヘラ本体１に取付けられた取手部２とを有する。ヘラ本体１は、お好み焼きを載せたときに、お好み焼きがはみ出ない程度の大きさを少なくとも有し、周縁の一部がお好み焼きの裏面に挿入する挿入端１１ａとされた板状部１１と、板状部１１の周縁のうち挿入端以外の箇所に設けられ、板状部１１の縁に沿って延在する土手部１２とを有する。【選択図】図１
2006320344.tif 000002
【特許請求の範囲】
【請求項１】
お好み焼きをすくいあげるヘラ本体と、該ヘラ本体に取付けられた取手部とを有するお好み焼き調理用ヘラにおいて、前記ヘラ本体が、お好み焼きを載せたときに、お好み焼きがはみ出ない程度の大きさを少なくとも有し、周縁の一部が鉄板とお好み焼きの間に挿入される挿入端とされた板状部と、該板状部の周縁のうち前記挿入端以外の箇所に設けられ、該板状部の縁に沿って延在する土手部とを有することを特徴とするお好み焼き調理用ヘラ。
【請求項２】
前記取手部が、前記土手部の外側面に取り付けられている請求項１に記載のお好み焼き調理用ヘラ。
【請求項３】
前記挿入端が、平面視において弧状に湾曲している請求項１又は２に記載のお好み焼き調理用ヘラ。
【発明の詳細な説明】
【技術分野】
【０００１】
本発明は、お好み焼きの調理に用いられるお好み焼き調理用ヘラに関し、特に広島風お好み焼きの調理に適したお好み焼き調理用ヘラに関する。
【背景技術】
【０００２】
お好み焼きとしては、広島風お好み焼き及び関西風お好み焼きが代表的に知られている。
【０００３】
広島風お好み焼きの調理方法の一例について概略的に説明する。まず、小麦粉を水等で溶いたものを、熱した鉄板に薄く広げ、下地をつくる。次に、下地の上にキャベツやモヤシ等の具材を載せる。次に、つなぎとして、小麦粉を水等で溶いたものを具材の上に軽くかける。お好み焼きの片面が焼けると、お好み焼きを裏返し、上から押しつけてしっかりと焼く。焼いたのちには、再度裏返したお好み焼きの上に、予め準備しておいた焼きそばや、半熟状態の卵焼きを載せることも行われる。
【０００４】
関西風お好み焼きの調理方法の一例について概略的に説明する。小麦粉を水等で溶いたつなぎに、卵とキャベツ等の具材とを入れてよく混ぜ合わせ、ネタを作る。次に、熱した鉄板にネタを広げ、鉄板側の面が焼けたら、お好み焼きを裏返し、両面が焼けたら完成である。なお、関西風のお好み焼きも、広島風お好み焼きと同様に、上から押しつけながら焼く場合がある。
【０００５】
ところで、上述した広島風及び関西風お好み焼きを作る過程でお好み焼きを裏返す際には、ヘラが用いられる。従来、お好み焼き調理用のヘラは２つで１セットになっていて、お好み焼きの片面が焼けると、２つのヘラでお好み焼きを左右両側からすくいあげてお好み焼きを裏返す。なお、ヘラは、調理中のお好み焼きを鉄板に押さえつけたり、焼きあがったお好み焼きを食べ易いサイズに切り分けたりするのにも用いられている。
【発明の開示】
【発明が解決しようとする課題】
【０００６】
図６は、従来のヘラ８１及び８２を用いて、鉄板（図示しない）上で片面を焼き上げたお好み焼き９を左右両側からすくい上げた状態を示す。図６に示すように、従来用いられているヘラ８１及び８２の各々は、お好み焼きをすくいあげるヘラ本体の大きさが、お好み焼きよりも小さいため、２つのヘラ８１及び８２ですくいあげたときには、お好み焼き９がヘラからはみ出た状態となる。このため、お好み焼き９を裏返す際に、お好み焼き９が崩れたり、千切れたり、或いはお好み焼き９の具材がこぼれ落ちることがある。特に、広島風お好み焼きは、関西風お好み焼きに比べると、具材同士をつなぎ止める機能を果たすつなぎを殆んど用いないので、お好み焼きを裏返す際に具材がこぼれ落ちやすい。
【０００７】
本発明の目的は、ヘラの扱いに慣れない者であっても、お好み焼きを容易に裏返すことができるお好み焼き調理用ヘラを提供することにある。また、本発明の別の目的は、使い勝手のよいお好み焼き調理用ヘラを提供することにある。
【課題を解決するための手段】
【０００８】
第１の発明は、お好み焼きをすくいあげるヘラ本体と、該ヘラ本体に取付けられた取手部とを有するお好み焼き調理用ヘラにおいて、前記ヘラ本体が、お好み焼きを載せたときに、お好み焼きがはみ出ない程度の大きさを少なくとも有し、周縁の一部が鉄板とお好み焼きの間に挿入される挿入端とされた板状部と、該板状部の周縁のうち前記挿入端以外の箇所に設けられ、該板状部の縁に沿って延在する土手部とを有することを特徴とするお好み焼き調理用ヘラである。
【０００９】
ヘラ本体の土手の高さは、少なくとも鉄板上のお好み焼きをすくい取ったときのお好み焼きの滑り止めとしての機能を果たす程度の高さが必要である。
【００１０】
第２の発明は、第１の発明において、前記取手部が、土手部の外側面に取り付けられているお好み焼き調理用ヘラである。
【００１１】
第３の発明は、第１又は第２の発明において、前記挿入端が、平面視において弧状に湾曲しているお好み焼き調理用ヘラである。ここで、挿入端には、お好み焼きを切るための刃を形成しておくことが好ましい。
【００１２】
好ましい発明は、第１又は第２の発明において、前記取手部が、前記板状部の周方向に適宜の間隔をおいて配置されるお好み焼き調理用ヘラである。前記取手部は、板状部の両側に対向配置された２つの取手を含むことが好ましい。
【００１３】
別の好ましい発明は、上記各発明において、前記土手部の上端に固定され、前記板状部と相対面する上板部をさらに有するお好み焼き調理用ヘラで、上板部には好ましくは板状部の重心と対向する位置に取手が設けられる。
【発明の効果】
【００１４】
第１の発明の調理用ヘラによれば、板状部はお好み焼きがはみ出ない程度の大きさを有しているため、広島風のお好み焼きであれば、お好み焼きをすくい取ったときにお好み焼きの具材がこぼれ落ちることがなく、また関西風のお好み焼きの場合も、お好み焼きが崩れたり、千切れ落ちることなくヘラ本体上に載せることができること、土手部を設けたことにより、すくい取ったお好み焼きを板状部上の所定位置に安定して保持することができ、すくいあげたお好み焼きが板状部から滑り落ちるのを防止できるから、慣れない者であっても、１つのヘラを用いて容易にお好み焼きを裏返すことができること、裏返したのちにお好み焼きを押さえ付ける際、板状部が従来のヘラに比べ大きく、お好み焼き全体を押え付けることができるから、従来のように押え箇所を変えて何度も押え付ける必要がなく、従って、お好み焼きの調理が容易に行える。
【００１５】
第２の発明によれば、取手部が土手部の外周面に取り付けられているため、板状部ですくいあげたお好み焼きが、取手部を持っている手に触れることを防止でき、ヘラの使い勝手が向上する。
【００１６】
第３の発明によれば、挿入端が平面視において弧状に湾曲しているので、この挿入端をお好み焼きに突き立てた状態で、ヘラを転がすようにしてお好み焼きを容易にカットすることができ、ヘラの使い勝手が向上する。
【００１７】
また、取手部を複数設ければ、取手を持つ位置を適宜変えることができ、お好み焼きを裏返したり、押さえつけたりする際のヘラの使い勝手が向上する。
【００１８】
また更に、板状部に相対面する上板部を設ければ、お好み焼きを挟み込むようにして保持することができるので、裏返す際にお好み焼きの具材がより一層飛び散りにくくなり、一層容易にお好み焼きを裏返すことができる。
【００１９】
また、上板部に設けた取手を介して、板状部でお好み焼きを押さえつけることができるようにすれば、お好み焼きの押え付けが容易となり、ヘラの使い勝手が向上する。
【発明を実施するための最良の形態】
【００２０】
図１は、本発明の実施形態によるお好み焼き調理用ヘラを示す斜視図である。このお好み焼き調理用ヘラは、お好み焼きをすくいあげるヘラ本体１と、ヘラ本体１に側方に突出して取付けられた取手２とを有し、該取手２は図示する例では、Ｕ字状をなしているが、ロッド状であっても、また図６に示す従来のヘラ８１及び８２に示すように細板状をなしていてもよい。ヘラ本体１は、周縁の一部が図示しない鉄板と、お好み焼きとの間に挿入される挿入端１１ａとされた平面視略円形ないし楕円形の薄い板状、たとえばステンレス製の板状部１１と、板状部１１の周縁のうち挿入端１１ａ以外の箇所に設けられ、板状部１１の縁に沿って延在する土手部１２とを有する。この土手部１２は、お好み焼きをすくい取ったとき、お好み焼きの滑り止めとしての機能を果たし、これによりお好み焼きをすくい取ったときお好み焼きがヘラ本体１の所定位置に載せることができ、また取手２を持った手にお好み焼きが触れるのを防止できるようになっている。
【００２１】
図２は、図１に示したお好み焼き調理用ヘラの断面図である。図２に示すように、板状部１１は、一般的なサイズのお好み焼き３を載せたときに、お好み焼き３がはみ出ない程度の大きさを有する。このため、お好み焼き全体をヘラ本体１に載せることができ、載せた状態で容易にお好み焼きを裏返すことができる。
【００２２】
挿入端１１ａは、図１に示すように、平面視において円弧状に湾曲している。このため、挿入端１１ａをお好み焼きに突き立てた状態で、ヘラを転がすようにしてお好み焼きを容易にカットすることができ、ヘラの使い勝手が向上する。なお、図２に示すように、挿入端１１ａを鋭く形成しておくと、お好み焼きをカットしやすくなる。
【００２３】
図３は、別の実施の形態によるお好み焼き調理用ヘラを示す斜視図である。このヘラは、板状部４１を平面視において扇形状に形成したものであり、扇形をなした板状部４１の円弧の部分が挿入端４１ａとされている。土手部４２は平面視Ｌ字状ないしＶ字状をなすように形成されている。土手部４２の折返し部分に、取手５が取付けられている。
【００２４】
図４は、さらに別の実施の形態によるお好み焼き調理用ヘラの斜視図である。このヘラは、図１に示したヘラに、取手２と同様の他の取手４及び５をさらに取付けたものであり、これら複数の取手２、４、及び５によって本発明の取手部が構成される。
【００２５】
取手４及び５は、取手２を挟んで板状部１１の両側に対向配置されている。このため、ヘラをお好み焼きの上に乗せ、両手で取手４及び５を持ってお好み焼きを押さえつけると、図１のヘラを用いて片手で押さえ付ける場合よりも、お好み焼きに加わる押しつけ力を増加させることができる。
【００２６】
図５は、さらに他の実施の形態によるお好み焼き調理用ヘラの断面図である。図１のヘラにおける構成要素と同様の構成要素には同一の符号を付してある。このヘラは、土手部１２の上端に固定され、板状部１１と相対面する上板部６をさらに備える。上板部６上に取手７が取り付けられている。取手７は、板状部１１の中央部の上方に位置している。このため、ヘラをお好み焼きの上に乗せ、取手７を持ってお好み焼きを押さえつけると、図１のヘラを用いる場合よりも、お好み焼きの押し付けを容易に行うことができる。
【図面の簡単な説明】
【００２７】
【図１】実施の形態によるお好み焼き調理用ヘラを示す斜視図。
【図２】図１に示したお好み焼き調理用ヘラの断面図。
【図３】別の実施の形態によるお好み焼き調理用ヘラを示す斜視図。
【図４】さらに別の実施の形態によるお好み焼き調理用ヘラを示す斜視図。
【図５】さらに別の実施の形態によるお好み焼き調理用ヘラを示す断面図。
【図６】従来のお好み焼き調理用ヘラを用いてお好み焼きをすくい取った状態を示す平面図。
【符号の説明】
【００２８】
１、４・・ヘラ本体
１１、４１・・板状部
１２、４２・・土手部
１１ａ、４１ａ・・挿入端
２、４、５、７・・取手（取手部）
６・・上板部
【図１】
2006320344.tif 000003
【図２】
2006320344.tif 000004
【図３】
2006320344.tif 000005
【図４】
2006320344.tif 000006
【図５】
2006320344.tif 000007
【図６】
2006320344.tif 000008